(57)【要約】  【課題】本発明は、複数の伝票体が順次抜き取られる組伝票を作製する組伝票製造装置およびこれにより作製される組伝票に関し、少なくとも秘匿情報を含んで隠蔽ラベルが貼付された伝票体が抜き取り自在な組伝票の製造時間の短縮を図り、歩留りの向上を図ることを目的とする。  【解決手段】連続用紙１２上に決定された複数領域のうち、所定の領域の秘匿情報上にラベル貼付手段１５で隠蔽ラベルを貼付させ、幅方向毎の領域をスリッタ１６Ａにより搬送方向で分断させ、これらを重ね接着手段１８により重ね接着させることで単一の連続部とさせ、搬送方向の領域を断裁分離手段１９により幅方向で分断させた所定数の組伝票体同士を重ね接着手段２１により重ね接着させることで単一の組伝票体とさせ、フィルム２５と剥離紙２４との間に挿入させて断裁手段２９により単一の組伝票３０とさせる構成とする。  【選択図】  図１
2006001194.tif 000002
【特許請求の範囲】
【請求項１】
連続用紙上で複数の伝票体となる各領域が搬送手段による搬送方向およびこれに対する幅方向にそれぞれ決定され、所定の領域に秘匿情報および非秘匿情報が印字されるものであり、当該連続用紙より当該各伝票体となる領域が分離され、対応の各伝票体同士が重ねられて切取線により抜き取り自在に片綴じされる組伝票を作製する組伝票製造装置であって、
前記連続用紙の所定の領域には印字された前記秘匿情報上に隠蔽ラベルを貼付させるための識別符が施され、当該識別符を認識する検出手段と、
前記検出手段による前記識別符の認識に基づいて剥離自在な隠蔽ラベルを前記秘匿情報上に貼付するラベル貼付手段と、
前記連続用紙における搬送方向に対する幅方向の前記各領域毎に対応させて搬送方向に断裁することで所定数の連続部に分断させる第１断裁手段と、
前記所定数の連続部のうち、上位置となる連続部と他の所定数の連続部とを、当該他の連続部の片綴じ位置に粘着剤を塗布して重ね接着させることで単一の連続部とする第１重ね接着手段と、
前記単一の連続部を、搬送方向における各領域毎に対応させて前記幅方向に断裁することで前記組伝票を構成する所定数の組伝票体とする第２断裁手段と、
前記所定数の組伝票体のうち、最上位置となる組伝票体と他の組伝票体とを、当該他の組伝票体の片綴じ位置に粘着剤を塗布して重ね接着させることで前記隠蔽ラベルが貼付された伝票体を含む単一の組伝票体毎とする第２重ね接着手段と、
部分的に粘着剤が塗布されたフィルムおよび剥離紙が供給され、当該フィルムと剥離紙との間に、前記単一毎の組伝票体を挿入させる挿入手段と、
を有することを特徴とする組伝票製造装置。
【請求項２】
請求項１記載の組伝票製造装置であって、前記連続用紙に前記切取線が形成されていない場合に、前記単一の組伝票体に前記接着部分より各伝票体を切り取り自在とさせる切取線を形成させる切取線形成手段を備えることを特徴とする組伝票製造装置。
【請求項３】
請求項１または２記載の組伝票製造装置であって、前記フィルムおよび剥離紙が連続状態の場合に、前記フィルムと剥離紙との間に挿入された前記組伝票体を、当該組伝票体毎に断裁して単一毎の前記組伝票とする第３断裁手段を備えることを特徴とする組伝票製造装置。
【請求項４】
請求項１〜３の少なくとも何れかに記載の組伝票製造装置により連続用紙から作製されるもので、当該連続用紙上に各伝票体となる所定数の領域が決定され、当該所定の領域に秘匿情報および非秘匿情報が印字され、当該連続用紙上の各領域が対応の複数の伝票体とされ、当該各伝票体同士が重ねられて抜き取り自在に片綴じ接着される組伝票であって、
前記連続用紙上における重ねられたときに最上位置となる伝票体領域で形成される第１伝票体と、当該連続用紙上に印字された前記秘匿情報上に隠蔽ラベルが貼付された伝票体領域で形成される第２伝票体とを少なくとも備え、
少なくとも上記第１伝票体および第２伝票体が重ねられて片綴じ接着されることで組伝票体とされたときに、少なくとも第２伝票体を前記抜き取り自在とさせるための切取線を備えると共に、当該第１伝票体上に接着されるフィルムを備えることを特徴とする組伝票。
【発明の詳細な説明】
【技術分野】
【０００１】
本発明は、複数の伝票体が順次抜き取られる組伝票を作製する組伝票製造装置およびこれにより作製される組伝票に関する。
【背景技術】
【０００２】
近年、例えば所定の配送物を配送するにあたり当該配送物に配送票が貼付されるが、当該配送票を配送管理のために複数の配送伝票を組とし、各配送段階で個別の配送伝票毎に抜き取ることが行われ、また当該配送票中に利用明細等の本人以外には秘匿が必要な伝票を含ませることも行われている。このような配送票を作製するにあっては、各配送伝票の紛失や紛れ込みを回避する必要があり、一方で製造時間の短縮が望まれている。
【０００３】
従来、複数の伝票体を組み込ませた組伝票としての配送票は、例えば表面に配置される第１票に、配送先、配送依頼者、配送責任者等を特定する情報が印字され、これらの情報が第２票および第３票上に複写させて当該第２票を配送中間地点での管理伝票とされ、第３票を配送終了時に受領印が押印される配達票とされるものである。また、配送物が購入物である場合に、当該配送票に利用明細や支払い明細を伝票（第４票）として組み込ませることも行われている。このような配送票を作製する装置が、以下の特許文献に開示されている。
【０００４】
【特許文献１】特許第３０６６６７０号公報
【０００５】
上記特許文献に開示されている配送票の製造装置は、連続用紙（２０）の搬送方向に対する幅方向に２頁分の情報を印字し、これを搬送方向に順次情報印字させることで偶数頁毎の配送票を構成する各配送伝票の対象とされる。このような連続用紙（２０）が幅方向の２頁分毎に分離（搬送方向）され、さらに各頁分毎に分離（幅方向）されて、各枚葉毎に中間フィーダ（２３）を介してデフレクター（２４）に供給される。デフレクター（２４）では、所定枚数毎に名寄せして積み重ね、クリンプ・ユニット（２６）で紙クリップ加工や粘着剤により片綴じし、これを包装機（２７）で剥離紙とフィルム間に包装して組伝票の配送票とするというものである。
【発明の開示】
【発明が解決しようとする課題】
【０００６】
しかしながら、上記特許文献に開示されている配送票の製造装置は、名寄せして片綴じする際に各伝票毎に搬送し、また綴じる際には搬送を一旦停止させることから、製造工程においてその分時間を要すると共に、枚葉毎に搬送することから、搬送途中でラインより外れる場合もあって歩留りの低下を招く場合もあるという問題がある。また、配送中に明細の伝票を組み込ませる場合には、秘匿情報を隠蔽させる機構がなく、上記多伝票を重ねる前工程で別装置によってラベル貼付を行わなければならず、効率低下を招くという問題がある。
【０００７】
ところで、多伝票の配送票で明細等の秘匿情報を隠蔽するものが例えば特開２０００−２６３９６８号公報に開示されているが、この配送票は４片の伝票をＺ折りまたはＷ折りにより剥離可能に重ね接着させたものであり、このような配送票またはその製造装置で各伝票を抜き取りさせる配送票またはその製造装置に適用することができない。
【０００８】
そこで、本発明は上記課題に鑑みなされたもので、少なくとも秘匿情報を含んで隠蔽ラベルが貼付された伝票体が抜き取り自在な組伝票の製造時間の短縮を図り、歩留りの向上を図る組伝票製造装置およびこれにより作製される組伝票を提供することを目的とする。
【課題を解決するための手段】
【０００９】
上記課題を解決するために、請求項１の発明では、連続用紙上で複数の伝票体となる各領域が搬送手段による搬送方向およびこれに対する幅方向にそれぞれ決定され、所定の領域に秘匿情報および非秘匿情報が印字されるものであり、当該連続用紙より当該各伝票体となる領域が分離され、対応の各伝票体同士が重ねられて切取線により抜き取り自在に片綴じされる組伝票を作製する組伝票製造装置であって、前記連続用紙の所定の領域には印字された前記秘匿情報上に隠蔽ラベルを貼付させるための識別符が施され、当該識別符を認識する検出手段と、前記検出手段による前記識別符の認識に基づいて剥離自在な隠蔽ラベルを前記秘匿情報上に貼付するラベル貼付手段と、前記連続用紙における搬送方向に対する幅方向の前記各領域毎に対応させて搬送方向に断裁することで所定数の連続部に分断させる第１断裁手段と、前記所定数の連続部のうち、上位置となる連続部と他の所定数の連続部とを、当該他の連続部の片綴じ位置に粘着剤を塗布して重ね接着させることで単一の連続部とする第１重ね接着手段と、前記単一の連続部を、搬送方向における各領域毎に対応させて前記幅方向に断裁することで前記組伝票を構成する所定数の組伝票体とする第２断裁手段と、前記所定数の組伝票体のうち、最上位置となる組伝票体と他の組伝票体とを、当該他の組伝票体の片綴じ位置に粘着剤を塗布して重ね接着させることで前記隠蔽ラベルが貼付された伝票体を含む単一の組伝票体毎とする第２重ね接着手段と、部分的に粘着剤が塗布されたフィルムおよび剥離紙が供給され、当該フィルムと剥離紙との間に、前記単一毎の組伝票体を挿入させる挿入手段と、を有する構成とする。
【００１０】
請求項２、３の発明では、「前記連続用紙に前記切取線が形成されていない場合に、前記単一の組伝票体に前記接着部分より各伝票体を切り取り自在とさせる切取線を形成させる切取線形成手段を備える」構成であり、
「前記フィルムおよび剥離紙が連続状態の場合に、前記フィルムと剥離紙との間に挿入された前記組伝票体を、当該組伝票体毎に断裁して単一毎の前記組伝票とする第３断裁手段を備える」構成である。
【００１１】
請求項４の発明では、請求項１〜３の少なくとも何れかに記載の組伝票製造装置により連続用紙から作製されるもので、当該連続用紙上に各伝票体となる所定数の領域が決定され、当該所定の領域に秘匿情報および非秘匿情報が印字され、当該連続用紙上の各領域が対応の複数の伝票体とされ、当該各伝票体同士が重ねられて抜き取り自在に片綴じ接着される組伝票であって、前記連続用紙上における重ねられたときに最上位置となる伝票体領域で形成される第１伝票体と、当該連続用紙上に印字された前記秘匿情報上に隠蔽ラベルが貼付された伝票体領域で形成される第２伝票体とを少なくとも備え、少なくとも上記第１伝票体および第２伝票体が重ねられて片綴じ接着されることで組伝票体とされたときに、少なくとも第２伝票体を前記抜き取り自在とさせるための切取線を備えると共に、当該第１伝票体上に接着されるフィルムを備える構成とする。
【発明の効果】
【００１２】
請求項１〜３の発明によれば、連続用紙上に複数の伝票体となる領域が決定され、所定の領域に印字された秘匿情報上に隠蔽ラベルを貼付させ、搬送方向に対する幅方向で区分される領域毎を当該搬送方向で分断させて所定数の連続部とさせ、これらを重ね接着させることで単一の連続部とさせ、さらに搬送方向で区分される領域を幅方向で分断させて所定数の組伝票体とさせ、所定数の組伝票体同士を重ね接着させることで単一の組伝票体とさせ、これをフィルムと剥離紙との間に挿入させることで組伝票を作製させることにより、少なくとも秘匿情報に隠蔽ラベルが貼付された伝票体を含む各伝票体が抜き取り自在とされる組伝票の作製が搬送状態を停止させずに一連の製造工程で行うことができ、製造時間の短縮を図ることができると共に、作製されるまで枚葉のものが単独で搬送されることがないことから紛失や紛れ込みが回避され、歩留りを向上させることができるものである。
【００１３】
請求項４の発明によれば、連続用紙上に各伝票体となる所定数の領域が決定されもので、少なくとも連続用紙上における重ねられたときに最上位置となる伝票体領域で形成される第１伝票体と、当該連続用紙上に印字された秘匿情報上に隠蔽ラベルが貼付された伝票体領域で形成される第２伝票体とが重ねられて片綴じ接着され、少なくとも第２伝票体を抜き取り自在とさせるための切取線が備えられ、当該第１伝票体上に接着されるフィルムが備えられる構成の組伝票とさせることにより、隠蔽ラベルで隠蔽された秘匿情報を印字させた抜き取り自在の伝票体を含ませることができ、製造時間の短縮、歩留りの向上によって安価とさせることができるものである。
【発明を実施するための最良の形態】
【００１４】
以下、本発明の最良の実施形態を図により説明する。
図１に、本発明に係る組伝票製造装置の概念構成図を示す。図１（Ａ）、（Ｂ）に示す組伝票製造装置１１は、詳細を図２以降で説明するが、連続用紙１２上に複数の伝票体となる各領域が搬送手段による搬送方向およびこれに対する幅方向にそれぞれ決定され、所定の領域に秘匿情報および非秘匿情報が印字されるものであり、当該連続用紙１２より当該各伝票体となる領域が分離され、対応の各伝票体同士が重ねられて切取線により抜き取り自在に片綴じされる組伝票を作製するためのものである。
【００１５】
すなわち、図１（Ａ）に示すように、連続用紙１２が図示しない搬送手段（例えばトラクタ）で搬送されるもので、搬送上にバーコードリーダ１３Ａ、検出手段であるマークセンサ１４が配置される。マークセンサ１４は連続用紙１２の所定部分に施された識別符（図２（Ａ）参照）を認識して隠蔽ラベルを貼付させるためのものであるが、当該連続用紙１２上の所定部分に施されたバーコード（図２（Ａ）参照）を読み取ることで隠蔽ラベルを予め定めた位置に貼付させることも可能であり、この場合にはマークセンサ１４を省略してバーコードリーダ１３Ａを検出手段としてもよい。
【００１６】
また、連続用紙１２の搬送方向上にはラベル貼付手段１５、第１断裁手段であるスリッタ１６Ａが順次配置される。ここでは、連続用紙１２の搬送方向に対する幅方向に２つの情報印字領域とすることが決定されたものとして単一のスリッタ１６Ａが当該連続用紙１２を搬送方向に２つの連続部に断裁して分離させる。一方の連続部はそのまま搬送され、他方の連続部が粘着剤塗布手段１７Ａを含む第１重ね接着手段１８により片綴じ部分に粘着剤が塗布され、所定数の搬送ロール等により方向を変えられて上記一方の連続部の下方部分に重ね接着されて単一の連続部とされる。当該第１重ね接着手段１８の次段には、スリッタ１６Ｂ，１６Ｃが配置される。なお、当該スリッタ１６Ｂ，１６Ｃの機能は後述する。
【００１７】
続いて、スリッタ１６Ｂ，１６Ｃの次段には、バーコードリーダ１３Ｂ、第２断裁手段である断裁分離手段１９が順次配置される。バーコードリーダ１３Ｂは上記単一の連続部とされたときにバーコード（図２（Ａ）参照）が最上位置にあるか否かを検出するためのものである。また、断裁分離手段１９は、例えば１組の搬送ローラで構成され、後段の搬送ローラの回転数を高くすることで連続用紙１２に形成された分離ミシン線（図２（Ａ）参照）で分離させて上位置となる組伝票体２０Ａとこの下方に重ね接着される組伝票体２０Ｂとさせるものである。
【００１８】
上記断裁分離手段１９の次段には粘着剤塗布手段１７Ｂを含む第２重ね接着手段２１が配置される。すなわち、組伝票体２０Ａの下方に位置させる組伝票２０Ｂの片綴じ位置に粘着剤塗布手段１７Ｂにより粘着剤を塗布させ、当該組伝票体２０Ａと重ね接着させて単一の組伝票体２０とさせる。そして、第２重ね接着手段２１の配置位置より方向を変え、例えば直角方向に反転手段２２が配置される。当該反転手段２２は単一の組伝票体２０の天地を逆とする（すなわち、バーコードが施された最上面を下向きとする）。これは、後述のフィルムと接着させる面をバーコードが施された面とするためのもであると共に、接着させた粘着剤の乾燥時間を確保するためのもである。したがって、接着させるフィルムが上方に位置されている場合には反転手段２２は不要であり、搬送方向を変化させる必要もなく、単に乾燥時間を確保する長さの搬送経路を設ければ足りる。
【００１９】
一方、ロール状の剥離紙フィルム連続体２３より、剥離紙２４と部分的に粘着剤が塗布（図４（Ａ）参照）されているフィルム２５とが供給され、当該剥離紙２４とフィルム２５とが一時剥離された状態とされる。そして、適宜反転手段２２で反転された組伝票体２０は挿入手段２６により一時剥離されたフィルム２５上に挿入され、これによって組伝票体２０のバーコードが施された面が当該フィルム２５上に接着されることとなる。
【００２０】
そこで、図１（Ｂ）に示すように、フィルム２５上に接着された組伝票体２０に対して切取線形成手段であるミシン線形成刃２７が配置される。当該ミシン線形成刃２７は、上記粘着剤が塗布された部分に抜き取り自在とさせるための切取線（図４（Ａ）参照）を形成させるためのものである。なお、当該切取線はその形成位置が特定することができることから、連続用紙１２上に予め形成させておくことも可能であり、この場合には当該ミシン線形成刃２７は不要となる。
【００２１】
上記ミシン線形成刃２７の次段では、一時剥離された剥離紙２４とフィルム２５とが再び剥離可能に接着させるロール等が配置されることで切取線が形成された組伝票体２０が当該剥離紙２４とフィルム２５とにより挾持された状態とされる。さらに、適宜、エア抜きロール２８が配置され、第３断裁手段２９が配置される。当該第３断裁手段２９は、組伝票体２０が所定間隔で挾持された連続状の剥離紙フィルム連続体を、当該組伝票体２０毎に断裁して最終的な組伝票３０とさせるためのもので、例えばロールの軸方向に断裁刃が形成させたものがある。なお、剥離紙２４とフィルム２５が連続形態でなく、組伝票体２０の大きさに応じた形状の単片状で供給させることも可能であり、この場合に当該第３断裁手段２９は不要となる。
【００２２】
そこで、図２〜図４に、図１の組伝票製造装置による組伝票作製工程の説明図を示し、図１の各処理構成部と共に説明する。図２（Ａ）は、連続用紙１２を示したもので、搬送のための搬送孔が形成されたマージナル部３１Ａ，３１Ｂが切り取りのための分離ミシン線３２Ａ，３２Ｂを介して設けられている。ここでは、搬送方向に対する幅方向に２頁分の伝票体を印字した領域として決定され、これが搬送方向に、後に断裁させるための分離ミシン線３３を介して連続し、それぞれの領域に対応の秘匿情報を含む情報が印字されたものである。図では、分離ミシン線３３でジグザグ状に折りたたまれた連続用紙１２として示しているが、ロール状としてもよい。
【００２３】
例えば、４頁分の冊子形態の片綴じ組伝票とさせる場合として、図示のように幅方向に１頁分と２頁分の伝票体の領域が決定され、搬送方向の次段に３頁分と４頁分の伝票体の領域が決定されて、それぞれに対応の情報が印字される。これが、後に幅方向の２つの領域を搬送方向で仮想分離ライン３４（実際には表示なし）に沿って分断されるものであり、これによって第１連続部３５Ａと第２連続部３５Ｂとに分断されるものである。
【００２４】
そして、連続用紙１２における組伝票の最上に位置される第１頁の領域には当該組伝票個別の情報を有するバーコード３６が施され、第４頁に相当する領域に秘匿情報が印字されるものとして、後に隠蔽ラベルを貼付させるための位置を特定する識別符としてのラベル貼付マーク３７が施されるものである。
【００２５】
上記のような連続用紙１２が搬送されると、バーコードリーダ１３Ａによりバーコード情報を読み取り、隠蔽ラベルを貼付するか否かが判断される（ここでは貼付するものとして説明する）。上記ラベル貼付マーク３７がマークセンサ１４により認識されるとラベル貼付手段１５が、図２（Ｂ）に示すように、剥離自在な隠蔽ラベル４１を第４頁の秘匿情報上に貼付する。なお、隠蔽ラベル４１は、剥離自在とするために例えば感圧接着剤が塗布されているもので、感圧接着剤としては例えば剥離型葉書に使用されているような、例えば天然ゴムラテックス等の接着剤基剤にシリカ等の微粒状充填剤が充填されたものが使用される。
【００２６】
上記隠蔽ラベル４１が貼付された連続用紙１２は、図２（Ｃ）に示すように、スリッタ１６Ａにより、上記仮想分離ライン３４に沿って奇数頁の領域が連続した第１連続部３５Ａと偶数頁の領域が連続した第２連続部３５Ｂとに分離され、第２連続部３５Ｂが別経路で搬送される。そして、第２連続部３５Ｂのそれぞれの領域（第２頁、第４頁）の片綴じ部分に第２重ね接着手段１８の粘着剤塗布手段１７Ａにより粘着剤４２が塗布され、図３（Ａ）に示すように、第１連続部３５Ａの裏面に重ね接着される。この場合、第１頁の領域の下方に第２頁の領域が接着剤４２で接着された状態で位置され、第３頁の領域の下方に隠蔽ラベル４１が貼付された第４頁の領域が接着剤４２で接着された状態で位置される。すなわち、これによって、単一の連続部３５Ｃとなる。
【００２７】
上記単一の連続部３５Ｃは、図３（Ａ）に示すように、スリッタ１６Ｂ，１６Ｃによりマージナル部３１Ａ，３１Ｂが分離され、バーコードリーダ１３Ｂにより第１頁が最上に位置されているかが確認される。そして、第１断裁手段である断裁分離手段１９を構成する搬送ロールの回転数の違いによって、図３（Ｂ）に示すように、分離ミシン線３３で分離されて組伝票体２０Ａと組伝票体２０Ｂとが順次分離される。すなわち、組伝票体２０Ａは上記第１頁と第２頁とが片綴じされたもので、組伝票体２０Ｂは上記第３頁と隠蔽ラベル４１が貼付された第４頁とが片綴じされたものとなる。そして、組伝票体２０Ｂ（第３頁、第４頁）における最上位置の第３頁面の片綴じ部分に第２重ね接着手段２１の粘着剤塗布手段１７Ｂにより粘着剤４３が塗布される。
【００２８】
続いて、図３（Ｃ）に示すように、第２重ね接着手段２１が組伝票体２０Ａの下面に組伝票体２０Ｂを重ねて接着させることで単一の組伝票体２０となる。すなわち、当該単一の組伝票体２０は、バーコード３６が施された第１頁から隠蔽ラベル４１が貼付された第４頁までの順番で冊子状に片綴じされた状態となるものである。そして、当該組伝票体２０は、適宜、反転手段２２により反転されて挿入手段２６に送られる。
【００２９】
一方、剥離紙フィルム連続材２３から剥離紙２４とフィルム２５とが一旦剥離された状態で供給される。なお、フィルム２５は、図４（Ａ）に示すように、一方の端部側を除いて粘着剤４５が塗布されて剥離紙２４と接着された状態のものである。そこで、上記挿入手段２６が、図４（Ａ）に示すように、フィルム２５の粘着剤塗布部分に上記組伝票体２０を挿入して位置させることで第１頁面を当該フィルム２５上に接着させる。この場合、組伝票体２０の一端部分がフィルム２５上の粘着剤４５の塗布境界部分に位置される。
【００３０】
そこで、図４（Ａ）に示すように、組伝票体２０の片綴じ部分（粘着剤４２，４３部分）にミシン線形成刃２７により各伝票体を抜き取るための切取線４４を形成する。図では、切取線４４を第１頁まで形成させた場合を示しているが、少なくとも第２頁〜第４頁に対して形成すれば足りる。なお、ミシン線形成刃２７を、上記断裁分離手段１９から上記挿入手段２６までの間に配置して組伝票体２０がフィルム２５に接着される前に切取線４４を形成させることとしてもよい。また、上述のように、連続用紙１２に予めミシン線を形成しておくことも可能であり、その場合にはミシン線形成刃２７による加工処理は不要となる。
【００３１】
続いて、図４（Ｂ）に示すように、組伝票体２０が接着されたフィルム２５上に再び剥離紙２４を重ね接着させ、加圧ロールのエア抜き手段２８により剥離紙２４とフィルム２５との間に存在するエア（空気泡）を除去し、図４（Ｃ）、（Ｄ）に示すように、第３断裁手段２９により各組伝票体２０が挾持された剥離紙２４およびフィルム２５毎に断裁することで単一の組伝票３０とさせるものである。ここで、単一の組伝票３０としたときに第１頁に施されたバーコード３６を読み取り、第１頁が最上に位置されているか否かの最終確認をすることとしてもよい。なお、粘着剤４５が塗布されたフィルム２５と剥離紙２４とが、連続体でなく、組伝票体２０に応じた大きさのいわゆる単片形態で供給させることとした場合には、第２断裁手段２９による加工処理は不要となる。
【００３２】
ここで、図５に、図１の組伝票製装置により作製された組伝票の構成図を示す。図５において、上記のように作製された組伝票３０は、フィルム２５に粘着剤４５で接着されるバーコード３６が施された第１伝票体としての第１頁の伝票体２０−１があり、その下方に第２頁の伝票体２０−２が切取線４４で抜き取り自在に粘着剤４２により片綴じ接着され、その下方に第３頁の伝票体２０−３が切取線４４で抜き取り自在に粘着剤４４により片綴じ接着される。
【００３３】
また、第３頁の伝票体２０−３の下方に隠蔽ラベル４１が貼付された第２伝票体としての第４頁の伝票体２０−４が切取線４４で抜き取り自在に粘着剤４２により片綴じ接着され、これらを挾持するように剥離紙２４とフィルム２５とが粘着剤４５により接着状態とされるものである。なお、ここでは剥離紙２４を含んで組伝票３０としているが、使用時には剥離紙２４は剥離されるもので、当該剥離紙２４を含まない状態のものでも本発明の組伝票であることには変わりはない。
【００３４】
次に、図６に、本発明に係る組伝票の使用説明図を示す。図６は、組伝票３０を配送伝票３０Ａとした場合を示したもので、例えば、第１頁〜第３頁には配送先住所、宛名、扱い店等が印字され、第４頁にはその支払明細書として購入商品名、クレジット番号等の秘匿情報上に剥離自在な隠蔽ラベル４１が貼付されたものである。この場合、例えば第２頁の伝票体２０−２が配送中間地点の管理用伝票とし、第３頁の伝票体２０−３が配達票として配達後に受領印が押印されて持ち帰るためのものとしたものである。
【００３５】
そこで、図６（Ａ）に示すように、上記のような配送票３０Ａが配送物５１に貼り付けられて配送経路におかれる。配送中間地点では、図６（Ｂ）に示すように第２頁の伝票体２０−２が抜き取られる。また、配送先では、図６（Ｃ）に示すように第３頁の配達票２０−３が抜き取られ、受領印が押印されて持ち帰る。そして、配送物５１を受け取った購入者が第４頁の支払明細書２０−４を抜き取り、図６（Ｄ）に示すように、隠蔽ラベル４１を剥離させることで秘匿情報の支払明細を視認することができるものである。
【００３６】
このように、少なくとも秘匿情報に隠蔽ラベル４２が貼付された上記第２伝票体としての第４頁の伝票体２０−４を含む各伝票体２０−１〜２０−４が片綴じで抜き取り自在とされる組伝票３０の作製が搬送状態を停止させずに一連の製造工程で行うことができもので、従前に比して製造時間の短縮を図ることができると共に、作製されるまで枚葉のものが単独で搬送されることがないことから紛失や紛れ込みが回避され、歩留りを向上させることができるものである。これに伴って、作製される組伝票３０を安価とさせることができるものである。
【００３７】
次に、図７に、図１の連続部の重ね接着手段における他の構成の説明図を示す。連続用紙１２Ａに対し、例えば搬送方向に対する幅方向に３頁分の伝票体を印字した領域が決定され、これが搬送方向に分離ミシン線３３を介して連続させたものとし、上記所定の領域にラベル貼付手段１５により隠蔽ラベルが貼付された後に、スリッタ１６Ａ，１６Ｄにより３つの第１連続部３５Ａ、第２連続部３５Ｂおよび第３連続部３５Ｄに断裁して分離させる場合として示したものである。すなわち、第１連続部３５Ａに、粘着剤塗布手段１７Ａで粘着剤が塗布された第２連続部３５Ｂが片綴じ接着され、これに粘着塗布手段１７Ｃで粘着剤が塗布された第３連続部３５Ｄが片綴じ接着されることで単一の連続部とさせることができるものである。
【００３８】
このように、組伝票の頁数を増加させるために幅方向に頁領域を増加させても、同様に組伝票を作製する際の製造時間を従前に比して短縮させることができ、歩留りを向上させることができると共に、これに伴って作製される組伝票を安価とすることができるものである。
【産業上の利用可能性】
【００３９】
本発明の組伝票製造装置および組伝票は、秘匿情報上に隠蔽ラベルが貼付された伝票体を含む組伝票およびこれを作製する装置として、配送票、その他の支払い通知用組伝票等に適用できる。
【図面の簡単な説明】
【００４０】
【図１】本発明に係る組伝票製造装置の概念構成図である。
【図２】図１の組伝票製造装置による組伝票作製工程の説明図（１）である。
【図３】図１の組伝票製造装置による組伝票作製工程の説明図（２）である。
【図４】図１の組伝票製造装置による組伝票作製工程の説明図（３）である。
【図５】図１の組伝票製装置により作製された組伝票の構成図である。
【図６】本発明に係る組伝票の使用説明図である。
【図７】図１の連続部の重ね接着手段における他の構成の説明図である。
【符号の説明】
【００４１】
１１              組伝票製造装置
１２              連続用紙
１５              ラベル貼付手段
１６              スリッタ
１７              粘着剤塗布手段
１８，２１        重ね接着手段
１９              断裁分離手段
２０              組伝票体
２４              剥離紙
２５              部分粘着フィルム
２９              断裁手段
３０              組伝票（配送票）
４１              隠蔽ラベル
４２，４３，４５  粘着剤
４４              切取線
【図１】
2006001194.tif 000003
【図２】
2006001194.tif 000004
【図３】
2006001194.tif 000005
【図４】
2006001194.tif 000006
【図５】
2006001194.tif 000007
【図６】
2006001194.tif 000008
【図７】
2006001194.tif 000009